(57)【要約】  防水性ケーシングと、ケーシング内に配置されたランプと、ランプに電気的に接続された供給源からランプへの電流の供給源とから構成されるランプ組立体。ランプは１２ボルト電源により動作するときに、４０ワット未満を消費する。
2005513712.tif 000002
【特許請求の範囲】
【請求項１】
防水性ケーシングと、前記ケーシング内に配置されたランプと、前記ランプに電気的に接続された電流の供給源から前記ランプへの前記供給源とから構成されるランプ組立体において、
（ａ）前記ランプが１２ボルト電源により動作するときに、４０ワット未満の電力を消費し、
（ｂ）前記ランプが、約４００から約７００ナノメートルまでの可視光スペクトル全体にわたって、所望の昼光の分光分布と均一性が実質的に同一の分光分布を生成するための一体ランプであり、
（ｃ）前記ランプが、電気エネルギによって励起されたときに、可視スペクトルにわたる不均一レベルの放射エネルギで、約４００から約７００ナノメートルまでの波長（ｌ）の可視スペクトル全体にわたって放射エネルギを放出するフィラメントを備え、
（ｄ）前記ランプが、そのような可視スペクトル放射エネルギを遮断しかつ反射する表面を持つ反射器本体から構成され、前記可視スペクトル放射エネルギの少なくとも５０パーセントが前記反射器の表面に向けられるように、前記フィラメントが前記反射器内に配置され、
（ｅ）前記ランプが、前記可視スペクトル放射エネルギ全体の全ての波長の放射を前記反射器の表面に向けて反射する反射率レベルを持つ反射器本体の表面上のフィルタコーティングであって、前記反射器の表面に向かわない前記フィラメントの可視スペクトル放射エネルギの放射輝度と結合されたときに、実質的に式：Ｒ（１）＝［Ｄ（１） ［Ｓ（１）×（１ Ｘ）］］／［Ｓ（１）×Ｘ］に従って、可視スペクトルの全ての波長にわたって比較的均一の放射輝度の全利用可能可視光を生成するフィルタコーティングから構成され、式中、Ｒ（１）は前記波長に対する前記反射器コーティングの反射率であり、Ｄ（１）は昼光色温度の場合の前記波長の放射輝度であり、Ｓ（１）は前記波長における前記フィラメントの全放射輝度であり、Ｘは前記反射器表面に向けられる可視スペクトル放射エネルギの百分率である、
ランプ組立体。
【請求項２】
前記ランプ組立体が、前記電流の供給源から前記ランプに供給される電圧を変化させるための手段から構成される、請求項１に記載のランプ組立体。
【請求項３】
前記電圧を変化させるための前記手段が、前記電圧を約１ボルトから約２２ボルトまでの電圧から変化させるための前記手段から構成される、請求項２に記載のランプ組立体。
【請求項４】
前記電圧を変化させるための前記手段が電位差計を含む、請求項３に記載のランプ組立体。
【請求項５】
前記電圧を変化させるための前記手段が磁気スイッチを含む、請求項３に記載のランプ組立体。
【請求項６】
前記ランプ組立体が、前記ランプ組立体内に含まれるガスを前記ランプ組立体の外部に逃がすための手段から構成される、請求項１に記載のランプ組立体。
【請求項７】
ガスのための前記手段が圧力逃がし弁から構成される、請求項６に記載のランプ組立体。
【請求項８】
前記ランプ組立体が、前記ランプから前記ケーシングに熱を伝達するための手段から構成される、請求項１に記載のランプ組立体。
【請求項９】
前記ランプから前記ケーシングに熱を伝達するための前記手段が、前記ケーシング内に配置された熱シールドから構成される、請求項８に記載のランプ組立体。
【請求項１０】
前記ランプが前記ケーシング内の密閉チャンバ内に配置される、請求項１に記載のランプ組立体。
【請求項１１】
前記密閉チャンバが不活性雰囲気から構成される、請求項１１に記載のランプ組立体。
【請求項１２】
前記不活性雰囲気がヘリウムである、請求項１１に記載のランプ組立体。
【請求項１３】
多数の熱フィンが前記ケーシングの外面に配置される、請求項１に記載のランプ組立体。
【請求項１４】
前記ランプがハンドルから構成される、請求項１に記載のランプ組立体。
【請求項１５】
前記ハンドルが前記ハンドル内に配置されたチャンバから構成される、請求項１４に記載のランプ組立体。
【請求項１６】
位置標定装置が前記ハンドル内に配置される、請求項１５に記載のランプ組立体。
【請求項１７】
発光ダイオードを作動させるための手段が前記ハンドル内に配置される、請求項１５に記載のランプ組立体。
【請求項１８】
前記ランプ組立体が、前記ケーシングに着脱自在に接続されたスイッチから構成される、請求項１に記載のランプ組立体。
【請求項１９】
前記スイッチが磁気スイッチである、請求項１６に記載のランプ組立体。
【請求項２０】
前記ランプがランプヘッド組立体内に配置される、請求項１に記載のランプ組立体。
【請求項２１】
前記ランプヘッド組立体がバッテリパックエンクロージャに着脱自在に取り付けられる、請求項１８に記載のランプ組立体。
【請求項２２】
前記ランプヘッド組立体が、外部電源に接続されるように適応させた第１ケーブルから構成される、請求項１９に記載のランプ組立体。
【請求項２３】
多数の発光ダイオードが前記ケーシング内に配置される、請求項１９に記載のランプ組立体。
【請求項２４】
防水性ケーシングと、前記ケーシング内に配置されたランプと、前記ランプに電気的に接続された電流の供給源から前記ランプへの前記供給源とから構成されるランプ組立体において、
（ａ）前記電流の供給源が前記ランプが１４ボルトを越える電圧を提供し、
（ｂ）前記ランプが６５ワットを超える電力を消費し、
（ｃ）前記ランプが、約４００から約７００ナノメートルまでの可視光スペクトル全体にわたって、所望の昼光の分光分布と均一性が実質的に同一の分光分布を生成するための一体ランプであり、
（ｄ）前記ランプが、電気エネルギによって励起されたときに、可視スペクトルにわたる不均一レベルの放射エネルギで、約４００から約７００ナノメートルまでの波長（ｌ）の可視スペクトル全体にわたって放射エネルギを放出するフィラメントを備え、
（ｅ）前記ランプが、そのような可視スペクトル放射エネルギを遮断しかつ反射する表面を持つ反射器本体から構成され、前記可視スペクトル放射エネルギの少なくとも５０パーセントが前記反射器の表面に向けられるように、前記フィラメントが前記反射器内に配置され、
（ｆ）前記ランプが、前記可視スペクトル放射エネルギ全体の全ての波長の放射を前記反射器の表面に向けて反射する反射率レベルを持つ反射器本体の表面上のフィルタコーティングであって、前記反射器の表面に向かわない前記フィラメントの可視スペクトル放射エネルギの放射輝度と結合されたときに、実質的に式：Ｒ（１）＝［Ｄ（１） ［Ｓ（１）×（１ Ｘ）］］／［Ｓ（１）×Ｘ］に従って、可視スペクトルの全ての波長にわたって比較的均一の放射輝度の全利用可能可視光を生成するフィルタコーティングから構成され、式中、Ｒ（１）は前記波長に対する前記反射器コーティングの反射率であり、Ｄ（１）は昼光色温度の場合の前記波長の放射輝度であり、Ｓ（１）は前記波長における前記フィラメントの全放射輝度であり、Ｘは前記反射器表面に向けられる可視スペクトル放射エネルギの百分率である、
ランプ組立体。
【請求項２５】
前記ランプ組立体が、前記電流の供給源から前記ランプに供給される電圧を変化させるための手段から構成される、請求項２４に記載のランプ組立体。
【請求項２６】
前記電圧を変化させるための前記手段が、前記電圧を約１４ボルトから約２２ボルトまでの電圧から変化させるための前記手段から構成される、請求項２５に記載のランプ組立体。
【請求項２７】
前記電圧を変化させるための前記手段が磁気スイッチから構成される、請求項２６に記載のランプ組立体。
【請求項２８】
前記ランプ組立体が、前記ランプ組立体内に含まれるガスを前記ランプ組立体の外部に逃がすための手段から構成される、請求項２５に記載のランプ組立体。
【請求項２９】
ガスのための前記手段が圧力逃がし弁から構成される、請求項２９に記載のランプ組立体。
【請求項３０】
前記ランプ組立体が、前記ランプから前記ケーシングに熱を伝達するための手段から構成される、請求項２５に記載のランプ組立体。
【請求項３１】
記ランプから前記ケーシングに熱を伝達するための前記手段が、前記ケーシング内に配置された熱シールドから構成される、請求項３０に記載のランプ組立体。
【発明の詳細な説明】
【技術分野】
【０００１】
所望の昼光効果の分光分布に均一性が実質的に同一であるスペクトル光を生成するためのランプから構成される水中ランプ組立体。
【背景技術】
【０００２】
出願人は、本発明の水中ランプ組立体に各々使用することのできる一連の昼光ランプを発明した。
【０００３】
したがって、例えば１９９５年に発行された米国特許第５，４１８，４１９号は、本発明のランプ組立体に使用することのできる昼光ランプの１つである。
【０００４】
水中にある物体を照明するためのトーチランプは周知である。これらのトーチランプ組立体の多くは標準的ハロゲン電球を使用している。これらのハロゲン電球は、水上で使用したときはかなり適切なスペクトル出力を生成するが、水中で使用した場合、照明された物体は魅力の無い不自然な色になる。
【０００５】
この問題を是正するために、先行技術のランプ組立体の幾つかは、ハロゲンランプの前に配置されたダイクロイック色補正フィルタを使用した。この「解決策」は他の問題を引き起こす。すなわち、生成される分光および配光分布が不均一であり、かつ相当減衰される。
【０００６】
ハロゲン電球の代わりにメタルハライドランプを水中ランプ組立体に使用することができる。しかし、メタルハライドランプは、照明された物体に過度に青みを帯びた外観をもたらす。
【発明の開示】
【発明が解決しようとする課題】
【０００７】
本発明の目的は、比較的高い演色評価数で実質的に均等なスペクトルパワー分布を有する水中ランプ組立体を作成することである。
【０００８】
本発明の目的は、水中の物体をそれらが自然な色に見えるように照明する水中ランプ組立体を提供することである。
【課題を解決するための手段】
【０００９】
本発明は、防水性ハウジング内に配置された水中ランプ組立体で構成される。この組立体に使用されるランプは、米国特許第５，４１８，４１９号で請求されたランプであることが好ましく、それは４０ワット未満の電力を消費することが好ましい。
【００１０】
本発明について、添付の図面を参照しながら説明する。図面において、同様の数字は同様の要素を指す。
【発明を実施するための最良の形態】
【００１１】
本発明のランプ組立体では、特定のランプを使用することが好ましい。このランプは、米国特許第５，４１８，４１９号で請求されたランプであり、その開示全体を参照によって本明細書に組み込む。本発明の装置は、約４００から約７００ナノメートルの可視光スペクトル全体を通して所望の昼光の分光分布に均一性が実質的に同一の分光分布を生成するための一体ランプである。該装置は、電気エネルギによって励起されたときに、可視スペクトルにわたる不均一レベルの放射エネルギで、約４００から約７００ナノメートルまでの波長（１）の可視光スペクトル全体にわたって放射エネルギを放出するフィラメントを含む。装置はまた、そのような可視スペクトル放射エネルギを遮断しかつ反射する表面を持つ反射器本体をも含み、前記可視スペクトル放射エネルギの少なくとも５０パーセントが反射器表面に向けられるように、前記フィラメントは前記反射器内に配置される。装置はまた、前記可視スペクトル放射エネルギ全体の全ての波長の放射を前記反射器表面に向けて反射する反射率レベルを持つ反射器本体の表面上のフィルタコーティングであって、前記反射器表面に向かわないフィラメントの可視スペクトル放射エネルギの放射輝度と結合されたときに、実質的に式：Ｒ（１）＝［Ｄ（１） ［Ｓ（１）×（１ Ｘ）］］／［Ｓ（１）×Ｘ］に従って、可視スペクトルの全ての波長にわたって比較的均一の放射輝度の全利用可能可視光を生成するフィルタコーティングをも含む。式中、Ｒ（１）は前記波長に対する反射器コーティングの反射率であり、Ｄ（１）は昼光色温度の場合の前記波長の放射輝度であり、Ｓ（１）は前記波長における前記フィラメントの全放射輝度であり、Ｘは前記反射器表面に向けられる可視スペクトル放射エネルギの百分率である。
【００１２】
図１は、１つの好適な水中ランプ組立体１０の斜視図である。
【００１３】
水中ランプ組立体１０は、約４００から約７００ナノメートルまでの波長にわたり、約２，５００から約６，５００ケルビンまでの相関色温度を有する。当業者には公知の通り、相関色温度とは試験光源と同一色度を有する黒体の温度である。関連文書として例えば米国特許第６，２２９，９１６号、第６，２２４，２４０号、第６，２０８，０７０号、第６，１９０，７５７号、第６，１６０，５７９号、第６，１５７，１４４号、第６，１５７，１２６号、第６，１５３，９７１号、第６，１３７，２１７号、第６，１２４，６８３号などを挙げることができる。これらの米国特許の各々の開示全体をここに参照によって本明細書に組み込む。
【００１４】
本発明の水中ランプ組立体１０は、人の目が真の色を見るために必要な色温度で、かつ水中で使用するときに、少なくとも約９８の演色評価数によって特徴付けられるという点で独特である。当業者には公知の通り、演色評価数は、照明が標準光から試験光に変更されたときの標準試験物体の色の変化を記述するものである。関連文書として例えば米国特許第６，２３４，６４８号、第６，２３４，６４５号、第６，２２４，２４０号、第６，２２２，３１２号、第６，２１８，３２３号、第６，２１５，２５４号、第６，２００，９１８号、第６，１８４，６３３号、第６，１６６，４９５号、第６，１６５，３８５号、第６，１６１２，９１０号、第６，１５７，１２６号、第６，１５３，９７１号、第６，１４７，４５３号、第６，１４４，１５２号、第６，１３７，２３０号、第６，１３７，２１７号、第６，１２４，６８３号などを挙げることができる。これらの米国特許の各々の開示全体をここに参照によって本明細書に組み込む。
【００１５】
４，１００ケルビンの色温度で、ランプ組立体は水中で使用した場合、少なくとも９８の演色評価数を生成する。３，５００および４，７００ケルビンの色温度でも、ランプ組立体１０は水中で使用した場合、少なくとも約９８の演色評価数を生成する。実際、約２，５００から約６，５００ケルビンまでの色温度の範囲にわたって、ランプ組立体１０は少なくとも９８の演色評価数を生成する。市販されている他の水中ランプ組立体は、そのような広範囲の色温度にわたってそのような均一の高い演色評価数を生成しない。
【００１６】
異なる水塊は、その組成および濁度によって異なるスペクトル特性を有する。ランプ組立体１０は、演色評価数性能を犠牲にすることなく、任意の特定の水塊に対して適切な色温度を選択することを可能にする。
【００１７】
水中ランプ組立体１０は従来の水中ランプ組立体より優れた耐久性を持つ。１２ボルトの直流で動作する場合、それは少なくとも４，０００時間少なくとも４，７００ケルビンの色温度を生成する。
【００１８】
再び図１を参照すると、そこに描かれた好適な実施形態では、ランプ組立体１０が、ランプ（図１には図示せず）およびバッテリパック（図１には図示せず）を収容するケーシング１２から構成されることが示されている。ケーシング１２は、約２０気圧の圧力まで実質的に防水性である。
【００１９】
図１に示した１つの好適な実施形態では、ケーシング１２は電子エンドキャップ１４（取外し可能であることが好ましい）と、バッテリパックチャンバ１６と、バッテリパック／エンドキャップ組立体１８と、ランプヘッドチャンバ２０と、ランプヘッド／エンドキャップ組立体２２とによって構成される。
【００２０】
電子エンドキャップ１４は一実施形態では陽極酸化アルミニウムから作成される。代替的に電子エンドキャップ１４はステンレス鋼、青銅、射出成形プラスチック、チタン、炭素繊維、および類似物から作成することができる。電子エンドキャップ１４に使用される材料に関係なく、それは比較的軽量であり、かつ優れた物理的性質を持つことが好ましい。
【００２１】
バッテリパックチャンバ１６もまたアルミニウムから作成することが好ましいが、この場合、それはエンドキャップ１４とは異なる色を持つことが好ましい。バッテリパックチャンバ１６に使用する材料は、電子エンドキャップ１４に使用する材料と同一とすることができるが、それらの色は同じでも異なってもよい。しかし、バッテリパックチャンバ１６の熱放散特性は、少なくともアルミニウムの熱伝導率と少なくとも同じ高さの熱伝導率を持つことが好ましい。
【００２２】
再び図１を参照すると、構成部品１８、２０、および２２は、構成部品１６に使用する材料と同一材料、または同様の材料から作成することができる。
【００２３】
再び図１を参照すると、ケーシング１２に、好ましくはその構成部品１４にハンドル２４が取り付けられていることが分かる。図示しない一実施形態では、ハンドル２４は構成部品１６に取り付けられる。ハンドル２４は陽極酸化アルミニウムから作成することが好ましい。
【００２４】
図１に示した実施形態では、ハンドル２４は中空であり、１つまたはそれ以上の電子部品を収容することのできるチャンバ（図示せず）を含む。一実施形態では、バッテリパック（図示せず）はハンドル２４内に配置することができる。別の実施形態では、発光ダイオード２６を作動させるように適応させた回路機構をハンドル２４内に配置し、スイッチ２８および／または他の手段によって作動させることができる。別の実施形態では、ハンドル２４に制御装置３０が配置され、ランプ（図示せず）から放射される光の強度および性質を制御するように適応させる。明らかな通り、例えばレオスタット（図示せず）を使用して、ランプ（図示せず）に送られる電圧を制御することができる。
【００２５】
一実施形態では、約１ないし２２ボルトの直流電流をランプに送ることが好ましく、少なくとも１４ボルトをランプに送ることが好ましい。ランプには直流電流を送ることが好ましいが、交流電流を使用することもできる。交流電流を使用する場合、少なくとも１４ボルト実効値をランプに送ることが好ましい。
【００２６】
図１に示した一実施形態では、ハンドル２４の部分３２はトランシーバとして働き、全地球測位衛星、中継器、および／または他の送受信装置との間で信号を送受信する。
【００２７】
一実施形態では、ハンドル２４はケーシング１２に着脱自在に取り付けられる。この実施形態の一態様では、ハンドル２４は、電流の供給源と係合してそのようなハンドル内の任意のバッテリパックを再充電するように適応されたプラグを備える。この実施形態の別の態様では、ハンドル２４がケーシング１２から取り外されているときに、ケーシング１２内の回路機構は電気を伝導することが防止される。
【００２８】
一実施形態では、ハンドル２４内および／またはケーシング１２内のチャンバ内にナイフが配置される。
【００２９】
再び図１を参照すると、ランプヘッド／キャップ組立体２２は透明なカバーから構成することができ、一実施形態ではそれはガラスまたはプラスチックから構築することができる。一実施形態では、カバー３４は、好ましくは無鉛ガラスから構成される。この実施形態の一態様では、ガラスカバー３４はレンズであり、それは凸レンズ、凹レンズ、またはフレネルレンズとすることができる。
【００３０】
図示しない一実施形態では、ガラスカバーレンズ３４はシャッタ付きレンズである。この実施形態では従来のシャッタ付きレンズ組立体を使用することができる。例えば米国特許第５，９２６，５１１号、第５，６９６，７１４号、第５，６４０，６４０号、第５，４６７，１４６号、第５，２９４，９９３号等を参照されたい。これらの米国特許の各々の開示全体をここに参照によって本明細書に組み込む。
【００３１】
図示しない一実施形態では、ガラスカバーレンズ組立体は可動絞りから構成される。
【００３２】
図２は、図１に示した組立体１０の断面図である。図示した実施形態では、ガラス保持リング４０がガラスカバー３４の前に配置され、着脱自在にそれを固定する。一実施形態では、ガラス保持リング４０はアルミニウムから作成され、それはねじなど従来の手段によってランプヘッドエンドキャップ組立体２２に茶行く脱自在に接続される。
【００３３】
ガラス保持リング４０の後ろには環状シール４２が配置される。環状シールは、例えばシリコーンなどのエラストマ材料から作成することができる。したがって、例えば従来のシリコーンガスケットを使用することができる。一実施形態では、この環状シール４２は少なくとも約７０ショアの硬度定格を持つ。
【００３４】
環状シール４２の後ろにはガラスカバー３４が配置される。ガラスカバー３４の後ろには別の環状リング４４が配置され、それは環状シール４２と組み合わせて、ガラスカバー３４を所定の位置にしっかりと保持する。環状リング４４は例えばアルミニウムから構成することができる。
【００３５】
ランプ４６は、米国特許第５，４１８，４１９号に記載され請求されたランプと実質的に同一であることが好ましい。この米国特許の開示全体をここに参照によって本明細書に組み込む。
【００３６】
本発明の１つの好適なプロセスでは、ランプ４６はバッテリパック４８からの電圧によって駆動される。この好適なプロセスでは、バッテリパック４８は少なくとも約１４．４ボルトを提供する。出願人は、そのような比較的高電圧をランプ４６に使用することにより、思いがけなく効率的な動作が得られることを発見した。したがって、限定ではなく例示として、１８ボルトの電圧で２４度のビーム広がりを持つランプ４６に６５．３ワットの電力を供給すると、ランプは６１３８ケルビンの色温度のスペクトル出力および１ステラジアン当たり４，５１９ルーメンの燭光を生じる。この実施形態では、消費電力１ワットに対し、１ステラジアン当たり約６９ルーメンが生じる。２４度のビーム広がりを持つランプ４６は、電力１ワットに対し１ステラジアン当たり少なくとも約４５ルーメンを生じることが好ましく、電力１ワットに対し１ステラジアン当たり少なくとも約５５ルーメンを生じることがさらに好ましい。
【００３７】
該ランプ４６は比較的効率的であり、２４度のビーム広がりで１２ボルトの直流電源で駆動する場合、４０ワット未満の電力を消費する。そのような低電力にもかかわらず、それは少なくとも３，５００ケルビン、最高約４，７００ケルビンまでの色温度と、１ステラジアン当たり約２，４３０から約１，２６０ルーメンまでの燭光出力を生じる。
【００３８】
再び図２を参照すると、そこに示された好適な実施形態では、１個のランプ４６だけが図示されている。別の実施形態では、２個またはそれ以上のランプ４６が使用される。この実施形態の一態様では、ガラスカバー３４の前に複数のランプ４６を回動可能に取り付け、前記ガラスカバーの前に順次配置して装置１０のスペクトル出力を変更させることができる。
【００３９】
ランプ４６はチャンバ５０内でソケット４７内に配置される。図２に示した実施形態では、ソケット４７は熱シールド５６の前に配置される。図示しない別の実施形態では、ソケット４７は熱シールド５６の後ろに配置される。
【００４０】
好適な実施形態では、チャンバ５０は、アーク放電を防止するために、１つまたはそれ以上の不活性流体および／またはガスが充填される。当業者には公知の通り、アーク放電は、負の電子源から正の電子源へ電子が移動することによって生じる。アーク放電は不活性雰囲気によって排除される。
【００４１】
したがって、チャンバ５０は真空になるように排気することができる。したがって、例えばチャンバ５０は、アルゴン、窒素、ヘリウム、クリプトン等から構成することができる。これは電球４６をその中に置くのに好適な環境である。
【００４２】
図２に示した実施形態では、不活性ガスは管路５１を介して弁５３を経てポート５５から導入することができる。そのようなガスを導入する前に、最初にチャンバ５０を排気して空気を全部そこから除去することが好ましい。
【００４３】
ランプ４６の後ろには、熱吸収材５６から作成することが好ましい熱伝導性シールド５６を配置する。熱吸収材は、（ＡＳＴＭ試験方法Ｃ−１７７によって測定したとき）１０−４カロリー−ｃｍ／秒ｃｍ２−℃で少なくとも８の熱伝導率を持つことが好ましい。したがって、例えばシールド５６用の熱伝導性材料としてアルミニウムを使用することができる。ケーシング１２内の１つまたはそれ以上の他の位置に、１つまたはそれ以上の他の熱シールドを使用することができる。
【００４４】
再び図２を参照すると、熱伝導性シールドは、ランプヘッドチャンバ２０の内部表面に接している。図示しない別の実施形態では、シールド５６および／または別の匹敵するシールドは、ケーシング１２の別の部分の内部表面に接する。
【００４５】
バッテリパック４８は、例えば制御装置３０および／または制御装置６２などの制御装置に作動的に接続された電位差計に接続することが好ましい。電位差計６０の抵抗を変化させることによって、ランプ４６に送られる電圧の量を変化させることができる。
【００４６】
動作中、バッテリパック４８からの電流はライン６４を経て電位差計６０を介し、ライン６６を通り、次いでランプ４６に流れる。
【００４７】
バッテリパック４８は複数のバッテリ６８、好ましくは複数の１．２ボルトのバッテリ６８から構成される。バッテリ６８はニッケルメタルハライドバッテリ、またはリチウム電池であることが好ましい。したがって、例えばＷｏｓｓｈｂａｃｈｅｒ  Ｓｔｒａｓｓｅ  ３７，Ｄ−７６３２７  Ｐｆｉｎｔｚａｌ（ドイツ国）のＢａｔｔｅｒｉｅｎ  ＧｍｂＨによって「ＦＯＲＴＵ  ＢＡＴ」として販売されているバッテリを使用することができる。したがって、例えば４８  ａｖｅｎｕｅ  ｄｅ  Ｇｒａｎｄｓｏｎ，ＣＨ−１４９１  Ｙｖｅｒｄｏｎ−ｌｅｓ  Ｂａｉｎｓ（スイス国）のＬｅｃｌａｎｃｈｅ  Ｓ．Ａ．社によって販売されているバッテリを使用することができる。例えばスイス国のＶａｒｔａ社によって、サンヨーによって、パナソニック等によって販売されているバッテリを使用することもできる。
【００４８】
図示しない一実施形態では、組立体２０が組立体１８から切り離されたときに、別のバッテリなど遠隔直流電源から動作が可能となるように、組立体２０にコネクタを設ける。
【００４９】
バッテリはリング７０、７２、および７４の間に配置される。リング７０、７２、および７４は、例えばポリフェニレンオキサイドなどの耐熱材から構成される。１つの適切なポリフェニレンオキサイドは「ＮＯＲＹＬ」として販売されている。他の適切な耐熱材を使用することもできる。
【００５０】
一実施形態では、リング７０，７２、および７４は、ガラスなどの約２０から約４０重量百分率の充填材を充填したポリフェニレンオキサイドから構成される。
【００５１】
再び図２を参照すると、示された実施形態では、第１磁石７６が安全スイッチ接点７８と接しており、そのように接しているときに、ランプ４６に電流を流すことができる。安全スイッチ接点７８は、手動で２つを分離して引き離すことによって、磁石との接触を切り離すことができる。こうして、例えば組立体１０からランプ４６を取り外し（それによってバッテリパックとの接触を遮断し）、新しいランプ４６に交替することができる。
【００５２】
図２に示した実施形態では、１列の発光ダイオードを空洞８０内に配置することが好ましく、スイッチ接点７８を作動させたときに作動する。
【００５３】
再び図２を参照すると、ターンスイッチとしても知られる回動可能なスイッチ８２が電子エンドキャップ１４の背面８４に取り付けられ、複数の位置に移動することができる。一実施形態では、スイッチ８２は、４箇所から約２０箇所までの間の位置を移動することができる。
【００５４】
スイッチは、スイッチ８２が回転するにつれて、ランプ４６に送られる電圧の量を変化させるための手段に接続される。一実施形態では、スイッチ８２の回動により電位差計６０の抵抗が変動する。
【００５５】
図２に示した実施形態では、スイッチ８２の内部表面付近に磁石８６が配置される。磁石８６が回動するにつれて、それはセンサ９０と磁気的に係合したり離脱する。磁石８６がセンサ９０と係合しているときに、センサ回路（図示せず）はランプ４６に電流を流れさせる。磁気がセンサ９０から離脱しているときは、回路は開く。複数のセンサ９０を使用して、スイッチ８２が回動するにつれて、様々な量の電流および／または電圧をランプ４６に供給させることができる。
【００５６】
図２に示した実施形態では、磁気スイッチ８２が組立体から取り外されたとき、レセプタクル９２はケーブルおよび電気エネルギ源に接続された雄プラグ（図示せず）を受容するように適応させることができる。スイッチ８２を取り外すと、バッテリパック４８がランプ４６から離脱し、バッテリパック４８を外部電源（図示せず）から再充電させることが可能になる。例えばレモコネクタなど、従来のレセプタクルを使用することができる。例えば米国特許第５，９０３，１１７号、第５，４１４，０２５号、第５，２０１，３２５号、第５，０２０，９３３号等を参照されたい。これらの米国特許の各々の開示全体をここに参照によって本明細書に組み込む。
【００５７】
再び図２を参照すると、ピン９４は、スイッチ８２を所定の位置に固定するための安全ロック機能を提供する。
【００５８】
トーチランプ１０の動作中に、ケーシング１２内の内部雰囲気はその温度および圧力を増加させる。そのような温度および圧力の増加を制御するために、ガスを大気中に逃がすための手段が装備される。
【００５９】
ケーシング１２内のガスを大気中に逃がすための従来の手段を使用することができる。一実施形態では、圧力逃がし弁１００を使用する。この圧力逃がし弁は、装置１０が配置された大気の圧力を超える圧力で作動することが好ましい。明らかな通り、装置が深水中に配置されたときの周囲圧力は、装置が海水位で空気中にあるときの周囲圧力とは実質的に異なる場合がある。
【００６０】
ディスプレイ１０２はケーシング１２の表面、および／またはハンドル２４、および／または装置１４の背面上に配置される。ディスプレイは、ランプ４６が充電しているとき、ランプ４６が放電しているとき、バッテリパック４８の充電状態、バッテリパック４８に供給されている電圧の量、装置１０が受信している信号の信号強度、装置１０が送信している信号の信号強度等を示すように適応されることが好ましい。
【００６１】
一実施形態では、バッテリパックが特定の電圧レベル以下に低下したとき、ランプ４６を点滅させ、すぐに最低電圧設定値まで低下させ、それによりその動作を可能にする。
【００６２】
一実施形態では、スイッチ８２が１つの特定位置にあるときに、装置１０はモールスコードの「ＳＯＳ」信号および装置１０の位置を送信する。この実施形態の一態様では、モールスコード信号の伝送速度は時間と共に変化し、バッテリ寿命を保持するために時間の結果と共に遅くなる。
【００６３】
図３は、ねじ軸１０６と螺合するナット１０４から成る１つの好適な圧力逃がし弁１００の断面図である。ケーシング１２内からのガスは膜１１２に接触する。膜１１２はガスだけを通し、流体は通さないように適応される。ガスは矢印１１４の方向ならびにしたがって矢印１１６および１１８の方向に膜１１２を通過する。
【００６４】
弁１００の外部の点１２０および１２２における圧力が弁１００内の点１２４および１２６における圧力より大きい場合、圧力の差は可撓性膜１０８を、内面１３２および内面１３４が相互に接し、それによってガスの流れが遮断されるまで、矢印１２８および１３０の方向に内側に収縮させる。弁１００内の圧力が弁１００の外部の周囲圧力を超える場合にのみ、ガスは大気中に逃げることができる。したがって、明らかな通り、この受動弁は自動的に、装置１０内の圧力の影響に対し補正する。
【００６５】
市販されている多くの可撓性膜を使用することができる。したがって、例えばＢｒｕｃｋｍａｎｎｉｎｇ  ２２，  ８５７６４  Ｏｂｅｒｓｃｈｅｉｓｓｈｉｍ（ドイツ国）のＳｃｈｒｅｉｎｅｒ  ＧｍｂＨ＆Ｃｏ．ＫＧによってＳｅｌｂｓｔｋｌｅｎｅｎｄｅｓ  Ｄｒｕｃｋａｕｓｇｌｅｉｃｈｓｅｌｅｍｅｎｔ（ＤＡＥ）として販売されている可撓性膜を使用することができる。
【００６６】
図示した実施形態では、接着剤１１０により膜１１２を弁１００のケーシング１４０に接着する。Ｏリング１４２はシステムに水が入らないようにする。
【００６７】
一実施形態では、ランプ４６はキセノンランプである。当業者には公知の通り、キセノンランプは、小型高圧アークランプでしばしば使用される希ガスであるキセノンを含む。参考文献として、例えば米国特許第６，２３９，８９５号、第６，２３９，２７５号、第６，２３６，７８５号、第６，２３６，０２１号、第６，２３２，４０２号等を挙げることができる。これらの米国特許の各々の開示全体をここに参照によってこの明細書に組み込む。
【００６８】
一実施形態では、ランプ４６は、２４度のビーム広がりで１２ボルトによって付勢されたときに、５０ワットを超える電力を消費する。この実施形態では、少なくとも３，５００ケルビン、および約３，５００から約４，７００ケルビンまでの色温度でスペクトル出力が生じる。生成される燭光は、１ステラジアン当たり約３，１８６から約１，７７４ルーメンまでである。
【００６９】
一実施形態では、ランプ４６は、２４度のビーム広がりで少なくとも１４．０ボルトに
よって付勢されたときに、６５ワットを超える電力を消費する。
【００７０】
上記の説明は単なる例示であり、請求の範囲で定義する発明の範囲から逸脱することなく、装置、成分、およびそれらの割合、ならびに組み合わせおよびプロセスステップの順序のみならず、ここで論じた発明の他の態様にも変化を加えることができることを理解されたい。
【００７１】
したがって、例えば、かつ図２に関連して、装置１０は複数の熱消散フィン２００を含むことができ、一部分もしくはあらゆる部分に、またはケーシング１２の外面全体には満たないが２箇所以上の部分に配置することができる。この実施形態により、装置１０は水の外で有利に使用することができる。
【図面の簡単な説明】
【００７２】
【図１】本発明の１つの好適なランプ組立体の斜視図である。
【図２】図１のランプ組立体の断面図である。
【図３】図１のランプ組立体に使用される弁装置の断面図である。
【図１】
2005513712.tif 000003
【図２】
2005513712.tif 000004
【図３】
2005513712.tif 000005
【国際調査報告】
2005513712.tif 000006